(57)【要約】【課題】端末の小形軽量化、携帯性の向上及び構成の簡素化とコストの低減を図ることにある。【解決手段】ＣＣＤカメラから入力される画像データを格納する画像メモリ７と、この画像メモリ７に入力される画像データを二値化処理する二値化処理回路８と、この二値化処理回路８で処理された画像データに矩形情報の有無を判定し矩形情報があるとき画像データがバーコードであると識別してバーコード読取り回路１２に伝送するバーコード確認回路９と、このバーコード確認回路９により矩形情報がないと判定されると画像データがバイオデータであるか否かを判定しバイオデータであることが確認されるとその画像データをバイオデータ照合回路１４に伝送するバイオデータ確認回路１０と、このバイオデータ確認回路１０によりバイオデータがないと判定されると画像メモリ７より該当する画像データを被検体の画像として取込んで画像圧縮・保存回路１３に伝送する画像読出し手段（ＡＮＤ）１１とを備える。【選択図】図１
2005087252.tif 000002
【特許請求の範囲】
【請求項１】
カメラ又はスキャナからバーコード、又は被検体の画像データを入力する入力手段と、この入力手段により入力される画像データを格納する画像メモリと、この画像メモリに入力される画像データを二値化処理する二値化処理手段と、この二値化処理手段で処理された画像データに矩形情報があるか否かを判定する判定手段と、この判定手段により矩形情報があると判定されるとその画像データがバーコードであるとしてバーコード読取り手段に伝送し、矩形情報がないと判定されるとその画像データが被写体であるとして前記画像メモリより該当する画像データを画像データ保存手段に伝送する識別手段とを備えたことを特徴とする画像入力装置。
【請求項２】
カメラ又はスキャナからバーコード、バイオデータ及び被検体のいずれかの画像データを入力する入力手段と、この入力手段により入力される画像データを格納する画像メモリと、この画像メモリに入力される画像データを二値化処理する二値化処理手段と、この二値化処理手段で処理された画像データに矩形情報の有無を判定し矩形情報があるとき前記画像データがバーコードであることを確認してバーコード読取り手段に伝送するバーコード確認手段と、このバーコード確認手段により矩形情報がないと判定されると前記画像データがバイオデータであるか否かを判定しバイオデータであることが確認されるとその画像データをバイオデータ照合手段に伝送するバイオデータ確認手段と、このバイオデータ確認手段によりバイオデータがないと判定されると前記画像メモリより該当する画像データを被検体の画像として取込んで画像データ保存手段に伝送する画像読出し手段とを備えたことを特徴とする画像入力装置。
【請求項３】
前記請求項１又は請求項２記載の画像入力装置において、前記入力手段は手動モードと自動モードに切換可能なモード切換手段を有し、且つ手動モードのときは前記入力手段より入力される画像データをその種類に応じて直接端末機能の処理手段に選択して伝送するスイッチを設けたことを特徴とする画像入力装置。
【請求項４】
請求項２又は請求項３記載の画像入力装置において、前記バイオデータは、指紋、虹彩、掌紋、耳形、網膜、顔の輪郭、目鼻立ちのいずれか１つであり、前記バイオデータ確認手段は、線分情報の有無により前記バイオデータであるか否かを判定することを特徴とする画像入力装置。
【請求項５】
請求項２又は請求項３記載の画像入力装置において、前記バイオデータは、顔の黒子及びシミであり、前記バイオデータ識別手段は、面情報の有無により前記バイオデータであるか否かを判定することを特徴とする画像入力装置。
【発明の詳細な説明】
【技術分野】
【０００１】
本発明は、カメラにより撮影された画像情報の処理によりバーコードか、バイオデータかを確認してバーコードの読取やバイオデータの照合を行い得るようにした画像入力装置に関する。
【背景技術】
【０００２】
例えば、病院総合情報や電子カルテを基幹とする医療情報管理システムの一つに、患者の特定や投薬、医療処置などをバーコードにより管理し、また患者やナース又はドクターなどの個人の特定は指紋の照合により行い、さらに患者の傷口や皮膚など被写体の術後の経過を撮影画像の観察により判断するようにした看護支援システムがある。
【０００３】
従来、このようなシステムに採用される情報端末としては、ＰＤＡ（Personal Digital Assistant）が知られている。このＰＤＡは、通信機、ＣＣＤカメラ、バーコードリーダなどの機能を個別に搭載したタイプのものや、一次元バーコードについては一体型レーザスキャナーを搭載したものがある。
【発明の開示】
【発明が解決しようとする課題】
【０００４】
しかし、このような情報端末では、画像データを利用したものではないため、カメラを用いたバーコードの読取や、バイオデータの照合機能に対応した情報端末としては利用することはできなかった。
【０００５】
本発明は上記のような事情に鑑みてなされたもので、カメラによるバーコードの読取やバイオデータの照合機能を有した多目的での利用が可能な画像入力装置を提供することを目的とする。
【課題を解決するための手段】
【０００６】
本発明は上記の目的を達成するため、次のような手段により画像入力装置を構成する。
【０００７】
請求項１に対応する発明は、カメラ又はスキャナからバーコード、又は被検体の画像データを入力する入力手段と、この入力手段により入力される画像データを格納する画像メモリと、この画像メモリに入力される画像データを二値化処理する二値化処理手段と、この二値化処理手段で処理された画像データに矩形情報があるか否かを判定する判定手段と、この判定手段により矩形情報があると判定されるとその画像データがバーコードであるとしてバーコード読取り手段に伝送し、矩形情報がないと判定されるとその画像データが被写体であるとして前記画像メモリより該当する画像データを画像データ保存手段に伝送する識別手段とを備える。
【０００８】
請求項２に対応する発明は、カメラ又はスキャナからバーコード、バイオデータ及び被検体のいずれかの画像データを入力する入力手段と、この入力手段により入力される画像データを格納する画像メモリと、この画像メモリに入力される画像データを二値化処理する二値化処理手段と、この二値化処理手段で処理された画像データに矩形情報の有無を判定し矩形情報があるとき前記画像データがバーコードであることを確認してバーコード読取り手段に伝送するバーコード確認手段と、このバーコード確認手段により矩形情報がないと判定されると前記画像データがバイオデータであるか否かを判定しバイオデータであることが確認されるとその画像データをバイオデータ照合手段に伝送するバイオデータ確認手段と、このバイオデータ確認手段によりバイオデータがないと判定されると前記画像メモリより該当する画像データを被検体の画像として取込んで画像データ保存手段に伝送する画像読出し手段とを備える。
【０００９】
請求項３に対応する発明は、前記請求項１又は請求項２に対応する発明の画像入力装置において、前記入力手段は手動モードと自動モードに切換可能なモード切換手段を有し、且つ手動モードのときは前記入力手段より入力される画像データをその種類に応じて直接端末機能の処理手段に選択して伝送するスイッチを設ける。
【００１０】
請求項４に対応する発明は、請求項２又は請求項３に対応する発明の画像入力装置において、前記バイオデータは、指紋、虹彩、掌紋、耳形、網膜、顔の輪郭、目鼻立ちのいずれか１つであり、前記バイオデータ確認手段は、線分情報の有無によりバイオデータであるか否かを判定する。
【００１１】
請求項５に対応する発明は、請求項２又は請求項３に対応する発明の画像入力装置において、前記バイオデータは、顔の黒子及びシミであり、前記バイオデータ確認手段は、面情報の有無により前記バイオデータであるか否かを判定する。
【発明の効果】
【００１２】
本発明によれば、カメラ又はスキャナからの画像データを入力して多用な処理を行うことによりバーコードの読取り、バイオデータの照合、監視画像の圧縮処理の全てを網羅することができるので、端末の小形軽量化、携帯性の向上及び構成の簡素化とコストの低減を図ることができる画像入力装置が提供できる。
【発明を実施するための最良の形態】
【００１３】
以下本発明の実施形態を図面を参照して説明する。
【００１４】
図１は本発明による画像入力装置の第１の実施形態を示す回路図である。
【００１５】
図１において、１はバーコードやバイオデータ（バイオメトリクス）あるいは被写体を撮影するＣＣＤカメラで、このＣＣＤカメラ１で撮影された画像データは、モード切換器２に入力される。
【００１６】
ここで、バーコードの画像データは矩形情報である。また、バイオデータとしては、指紋、虹彩、掌紋、耳形、網膜、顔の輪郭、目鼻立ち、顔の黒子及びシミなどが挙げられ、これらの画像データはほとんど線分情報であるが、顔の黒子及びシミは面情報となる。さらに、患者の傷口や皮膚などの被写体の画像データは線分情報と面情報の組合せとなる。
【００１７】
上記モード切換器２はＣＣＤカメラ１で撮影された画像データを手動モード又は自動モードのいずれかに切換えて取込むもので、手動モードでは画像データをスイッチ３によりバーコード４、画像５、バイオデータ照合６側に切換えてバーコード読取回路１２、画像圧縮・保存回路１３、バイオデータ照合回路１４の各回路に入力される。
【００１８】
また、自動モードでは、画像データを画像メモリ７に格納するとともに、二値化処理回路８に与えて、その画像データが二値化処理される。この二値化処理された画像データはバーコード確認回路９に取込まれ、その画像データが矩形情報であるかどうかを確認し、矩形情報であればバーコード読取回路１２に入力する。
【００１９】
さらに、バーコード確認回路９で画像データが矩形情報でないことが確認されると、その画像データをバイオデータ確認回路１０に与える。このバイオデータ確認回路１０は、画像データが予め設定されている各々のバイオデータの特徴に基づく線分情報又は面情報であるかどうかを確認し、その線分情報又は面情報がバイオデータの特徴に基づく情報であればバイオデータ照合回路１４に入力する。
【００２０】
一方、バイオデータ照合回路１４により画像データがバイオデータの特徴に基づく線分情報又は面情報でないことが確認されると、その確認信号によりアンド回路１１を介して画像メモリ７より該当する画像データを取込んで画像圧縮・保存回路１３に入力される。
【００２１】
これらバーコード読取回路１２、画像圧縮・保存回路１３及びバイオデータ照合回路１４で処理された各データは端末の制御部１５に送られ、この端末の制御部１５より伝送路を通してサーバ１６に伝送される。
【００２２】
次にこのように構成された画像入力装置の作用を図２に示すフローチャートにより説明する。
【００２３】
いま、モード切換器２が自動モード側に切換わっているとき、ＣＣＤカメラ１で撮影された画像データが入力されると、この画像データは画像メモリ７に格納されると同時に二値化処理回路８に取込まれ、その画像データが二値化処理（Ｓ１）されてバーコード確認回路９に与えられる。このバーコード確認回路９では二値化処理された情報が矩形情報であるか否かを判定する（Ｓ２）。
【００２４】
そして、その情報が矩形情報であると判定されると、バーコード読取回路１２によりバーコードを読取る（Ｓ３）。また、矩形情報でないと判定されるとバイオデータ確認回路１０では、その画像データが予め設定されている各々のバイオデータの特徴に基づく線分情報又は面情報かによりバイオデータか否かを判定し（Ｓ４）、バイオデータであればその画像データをバイオデータ照合回路１４に入力する。このバイオデータ照合回路１４ではそのバイオデータのパターンを認証し（Ｓ５）、このパターンが例えば指紋であれば、バイオデータ照合回路１４では、端末或いはサーバ内のバイオ画像データと照合し、個人認証をする（Ｓ６）。
【００２５】
上記バイオデータ確認回路１０により画像データがバイオデータではないと判定されると、画像メモリ７より該当する画像データを取込んで（Ｓ７）、画像圧縮・保存回路１３により圧縮処理し、端末の制御部１５に伝え、情報の符番やＩＤ情報を付加して保存やサーバ１６へ伝送して登録する（Ｓ８）。
【００２６】
上記バイオデータ照合回路１４は、例えば指紋画像や静脈形状などのバイオ画像データをもとに、端末或いはサーバ１６内のパターン化されたバイオ画像データと照合することにより、個人認証を行うことができる。
【００２７】
以上は自動モードでの作用であるが、ＣＣＤカメラ１により撮影された画像データがバーコード、バイオデータ、画像のいずれであるかが分かっているときは、モード切換器２を手動モードに切換えてスイッチ３の操作により、バーコード読取り側、画像データ処理側、バイオ照合側を適宜選択することで、前述同様にバーコードの読取り、バイオデータの照合、画像の圧縮・保存を行うことができる。
【００２８】
このように本実施形態では、上記ＣＣＤカメラ１からの画像データを入力して多用な処理を行うことによりバーコードの読取り、バイオデータの照合、監視画像の圧縮処理の全てを網羅することができるので、従来のように各種機能毎の構成機器を組合せるものに比べて、端末の小形軽量化、携帯性の向上及び構成の簡素化とコストの低減を図ることができる。
【００２９】
なお、上記実施形態において、バーコードは二次元と一次元を共用するタイプのものでもよい。また、ＣＣＤカメラにより撮影された画像データについて述べたが、ＣＣＤカメラに代えてスキャナにより画像データを入力するようにしても良い。
【産業上の利用可能性】
【００３０】
本発明は、プラント保守点検や現場監視における監視システム、或いは宅配や貨物の受け渡しを管理する物流管理システムに用いられる端末の画像入力装置としても適用することができる。
【図面の簡単な説明】
【００３１】
【図１】本発明による画像入力装置の第１の実施形態を示す回路構成図。
【図２】同実施形態の作用を説明するためのフローチャート。
【符号の説明】
【００３２】
１…ＣＣＤカメラ、２…モード切換器、３…スイッチ、７…画像メモリ、８…二値化処理回路、９…バーコード確認回路、１０…バイオデータ確認回路、１２…バーコード読取回路、１３…画像圧縮・保存回路、１４…バイオデータ照合回路、１５…端末の制御部、１６…サーバ。
【図１】
2005087252.tif 000003
【図２】
2005087252.tif 000004